(57)【要約】【課題】収録を行ったメディアへ編集作業を行う際に、タイムレコードからカット割やシーンの読み出しに多くの時間と労力を要した。また、画像データに付随しているメタデータを入力する場合、編集作業中にメタデータを入力する、と言う従来とは異なる方式を取らなければならない、と言う課題が存在した。【解決手段】収録時に、収録した映像から文字を検出し、認識を行った文字データをメタデータとして画像データに付随させメディアへ記録する方法を行うカメラで収録を行い、編集時にはカット割リストから画像データに付随しているメタデータを用いて自動的に並び替え編集作業を行う。また、ある条件を与えることによって、その条件と一致する文字列を持つメタデータが付随している画像データを抽出することで、画像の検索も容易に行うことができる。【選択図】  図１
2005039354.tif 000002
【特許請求の範囲】
【請求項１】
収録機材から収録された映像信号に含まれる文字を検出するステップ（ＳＴＥＰ１２）と、前記文字の認識を行い文字データとするステップ（ＳＴＥＰ１３）と、前記文字データをメタデータとして前記映像信号に付随させ同一の記憶媒体へ記録するステップ（ＳＴＥＰ１４）を備えたことを特徴とするメタデータ入力方法。
【請求項２】
前記メタデータをテキストデータとして前記映像信号に付随させることを特徴とする請求項１記載のメタデータ入力方法。
【請求項３】
前記メタデータをバイナリデータとして前記映像信号に付随させることを特徴とする請求項１記載のメタデータ入力方法。
【請求項４】
前記メタデータをウォーターマーク（透かし）として前記映像信号に付随させることを特徴とする請求項１記載のメタデータ入力方法。
【請求項５】
前記メタデータを前記映像信号に付随させ関連付けのしてある別々の記憶媒体へ記録することを特徴とする請求項１記載のメタデータ入力方法。
【請求項６】
メタデータ作成ボタンの押された時に収録された映像信号からのみ文字データを検出しメタデータの作成を行う請求項１記載のメタデータ入力方法。
【請求項７】
収録開始から任意の一定時間のみ映像信号から文字データを検出しメタデータを作成する請求項１記載のメタデータ入力方法。
【請求項８】
特定の画像パターンを認識したときのみ映像信号から文字データを検出しメタデータを作成する請求項１記載のメタデータ入力方法。
【請求項９】
収録機材から収録されたインタレースの映像信号に含まれる文字を読み取るステップと、前記文字を認識しメタデータとするステップと、前記メタデータをテキストデータとして前記映像信号に付随させ同一の記憶媒体へ記録するステップを備えたことを特徴とするメタデータ入力方法。
【請求項１０】
前記インタレース画像の第１フィールドと第２フィールドでそれぞれ文字の認識を行い、認識された情報を比較するステップを備えたことを特徴とする請求項９記載のメタデータ入力方法。
【請求項１１】
前記映像信号からそれぞれのフレームで文字認識を行い、認識された情報を現在のフレームと前のフレームと後のフレームのうち少なくとも２つを用いて比較を行うステップを備えたことを特徴とする請求項９記載のメタデータ入力方式。
【請求項１２】
演算処理を行う演算装置と、演算と映像信号を蓄えるためのメモリと、収録した映像信号から文字を認識し、認識した文字データをメタデータとして前記映像信号に付随させ記憶媒体へ保存する機能を有したカメラで入力された映像信号を入力する映像信号入力手段と、カット割リスト入力手段と、前記映像信号入力手段により入力された映像信号に付随しているメタデータから前記カット割リスト入力手段から入力されたカット割リストの順序に前記映像信号を並び替える手段とを備えたことを特徴とする編集システム。
【請求項１３】
前記映像信号の中に同じカットの映像信号が存在した場合、ＯＫシーンの映像信号を優先的に抽出して並び替える機能を備えたことを特徴とする請求項１２記載の編集システム。
【請求項１４】
演算処理を行う演算装置と、映像信号を蓄えるためのメモリと、収録した映像信号から文字を認識し、認識した文字データをメタデータとして前記映像信号に付随させ記憶媒体へ保存する機能を有したカメラで入力する映像信号入力手段と、キーワード入力手段と、前記映像信号入力手段により入力された映像信号に付随しているメタデータから、前記キーワード入力手段を通して入力された条件と一致する前記メタデータを持つ前記映像信号を抽出する手段とを有する機能を備えたことを特徴とする編集システム。
【請求項１５】
演算処理を行う演算装置と、映像信号を蓄えるためのメモリと、映像信号と前記映像信号に付随しているメタデータを入力する映像信号入力手段と、前記メタデータにダイジェスト条件入力手段によって入力されたダイジェスト使用可を示す条件を含む前記映像信号のみを抽出してダイジェストを作成する手段とを備えたことを特徴とする編集システム。
【請求項１６】
前記メタデータとしてスコア情報が登録されており、前記メタデータに登録されているスコア情報から試合の任意の映像信号を抽出する機能を備えたことを特徴とする請求項１５記載の編集システム。
【発明の詳細な説明】
【０００１】
【発明の属する技術分野】
本発明はカメラ画像からのメタデータ入力方法と編集支援システムに関して好適なものである。
【０００２】
【従来の技術】
近年、編集作業はマスターテープ上に記録されているオリジナル画像を番組の制作意図に応じて並び替える作業であり、多くの手間と時間を要する作業である。ところでこれらの編集作業に要する作業量及び作業時間は番組の種類に応じて大きく異なる。特に、ニュース番組編集においては、素材テープから数秒の画像を抽出するのに人手を使っていたため、正確性に疑問があった。またドラマ作成編集においてはシナリオに沿ったカット割が作成され、カットとカットの間にカチンコやメモ等にシーンナンバー、カットナンバーを記述しカメラで撮影させ、その画像を人が目で見て判別を行い、カットの区切りのタイムスタンプを記しておき、このタイムスタンプを記したものからカットの抽出が行われた。この時、人の手で行う作業であるため正確性の面で問題がある。また、収録した画像を全て見なければ全てのカットの抽出が行われないため、多くの作業と作業時間が必要とされた。
【０００３】
従来、メタデータ入力方法は特開２００２−１５２６９４号公報に記載されたものが知られている。収録される映像番組の各場面に関する番組付加データするため、入力フォームから対応場面を特定する情報を入力するものである。
【０００４】
また従来の編集支援システムは、特開２００１−２９２４０７号公報に記載されたものが知られている。記録に関する各種の情報を示すメタデータであり、シリアル番号、カセット番号、コメントであるメタデータを用いて、記録した映像に関する文字情報を得、これにより、文字列を検索して、所望のシーンの映像を検索することにより編集作業を効率化するシステムである。
【０００５】
【特許文献１】
特開２００２−１５２６９４号公報
【特許文献２】
特開２００１−２９２４０７号公報
【０００６】
【発明が解決しようとする課題】
しかしながら上記の従来の方式ではメタデータを収録後に映像を見ながら、入力フォームにより人間の手で入力しなければならない。そのため、入力のための労力、時間を要する、と言う課題を有している。また、画像に付加されているメタデータがシリアル番号、カセット番号等から文字列信号を生成した場合、直接、編集に必要な情報をピンポイントで検出することは難しいと言う課題も有している。
【０００７】
【課題を解決するための手段】
収録時に収録した画像に含まれる文字を検出し、検出された文字に文字認識を行い文字データを生成しメタデータとし、収録された画像データに付随させる。収録時に自動的に生成されたメタデータを編集作業で活用することで、メタデータの入力に必要な労力と時間を必要としない。また、カチンコやメモに書かれている文字データでも認識を行えるため、編集に直接関連している情報をメタデータとして与えることが容易なので、メタデータを編集作業にそのまま活用できる。
【０００８】
【発明の実施の形態】
（実施の形態１）
図１は本発明のカメラからストレージ上に画像データとメタデータを作成するシステムのモデルを示す。１１はカチンコであり、シーンナンバーやカットナンバー、テイクナンバー、その他１７と言った収録時に必要な文字情報１６が書かれている。１２はカメラであり、１３Ｂの画像データを取得し、１４のストレージメディアへの書き込みを行う。その際に、画像の中から文字を読み取った文字情報（１３Ａ）を抽出する。１３Ｂの画像情報は、ストレージメディア中に画像データ（１５Ｂ）として書き込まれる。この時、１３Ａの文字データはメタデータ（１５Ａ）として画像データに付随してメディアに保存される。なお、ここで保存用メディアとして１４テープストレージとしているが光ディスクとしても良い。また、カメラが搭載しているメモリとしても良い。
【０００９】
収録時にはカチンコの上に、シーンナンバー、カットナンバー、テイクナンバー等のその後の編集に必要な情報が文字で書かれている。そして、カットの収録時には収録前にそのカチンコを画像として収録する。この際、この画像を取り込んだカメラでは、画像データの中に含まれている文字を検出する。検出された文字を抽出し文字データとする。抽出された文字データを収録した画像データにテキスト形式の文字データとして付随させ、同一のテープへ保存を行う。
【００１０】
なお、ここで画像データにメタデータをテキスト形式の文字データとして付随としたが、バイナリィ形式のデータとしても良い。
【００１１】
また、メタデータの情報を含むウォーターマークとして画像データの中に埋め込む方式でも良い。
【００１２】
なお、ここでは同一のメディアへの保存を例としたが、関連付けの行ってある２つ以上のメディアにメタデータと画像データを別々に保存しても良い。
【００１３】
また、関連付けの行ってあるメディアであればメタデータのみの保存、または画像データのみの保存、またはメタデータと画像データの２つを保存、のどれかを行っても良い。
【００１４】
なお、ここではテープへの保存を例に示したが、光ディスクや磁気ディスク、またメモリへの保存でも良い。
【００１５】
図２はカメラ内で映像信号から文字データをメタデータとして画像データに付随させ保存するアルゴリズムを示したフローチャートである。ＳＴＥＰ１１はカメラを用いて映像の収録を行うステップである。ＳＴＥＰ１２は収録した映像信号中の画像データから文字の検出を行うステップである。ＳＴＥＰ１３は検出された文字の認識を行い文字データとするステップである。ＳＴＥＰ１４は認識された文字データをメタデータとして収録された画像データに付随させ、メディアへ保存を行うステップである。
【００１６】
カメラから入力された映像信号中の画像データからそのフレーム内の文字の検出を行う。画像中のエッジ部の検出を行い、文字と思われる部分の検出を行う。検出された領域が文字データであるかどうかの認識を行い、文字データであると認識された場合、その文字データをメタデータとして画像データに付随させて保存メディアへ保存する。このとき、付随しているメタデータ上の文字データをファインダーやプレビュー用の液晶ディスプレイから確認することができる。
また、ここでは画像データから文字データを検出し、メタデータを生成するタイミングについて特に述べていないが、メタデータ作成ボタンが押されたとき、としても良い。
【００１７】
また、録画ボタン（ＲＥＣボタン）が押されてから、任意の時間に録画された画像データからのみ、文字データ検出を行いメタデータを作成する、としても良い。また、任意の時間としているが、この時間は事前にユーザーインターフェースを通してユーザーから入力された値を用いる、としても良い。通常、１０秒間が適切と考える。
【００１８】
また、カチンコの開閉部の画像パターン等、特定の画像パターン（斜線部）を認識したときに画像データから文字データの検出を行うとしても良い。
【００１９】
図３はインタレース画像からの文字データ生成のモデル図である。２１はインタレース画像の例である。この画像をフィールド毎に分割を行うと２２Ａの第１フィールドと２２Ｂの第２フィールドに分けることができる。
【００２０】
第１フィールド内での文字の検出を行い、検出された文字の認識を行い、文字データを生成する。そして、第２フィールドで同様の手順で文字データを生成する。そして、第１フィールドで生成された文字データと第２フィールドで生成された文字データの比較を行い、同一のデータであれば採用し、異なる場合は採用しない、と言う作業を行うことで文字データの正確性を向上させることができる。
【００２１】
図４は動画像における文字データ生成のモデル図である。３１Ａ，３１Ｂ，３１Ｃが動画のフレームであり、３２Ａ，３２Ｂはそれぞれフレーム間の関連である。３１Ｂは任意の数ｎ番目のフレームである。３１Ａは（ｎ−１）番目のフレームであり、３１Ｂの１枚前のフレームである。３１Ｃは（ｎ＋１）番目のフレームであり、３１Ｂの１枚後のフレームである。動画像である画像データのｎ番目のフレームから文字データの生成を行う時、（ｎ−１）番目、（ｎ＋１）番目のフレームからも文字データの生成を行う。そして、ｎ番目のフレームで生成された文字データと（ｎ−１）番目のフレームから生成された文字データと（ｎ＋１）番目のフレームから生成された文字データの比較を行う。このことにより正確性を向上させることができる。
【００２２】
なお、動画像における文字データ生成モデルにおいて、ここでは文字データの検出に前後のフレームを用いたが、（ｎ−１）番目のフレームと現在のｎ番目のフレームから、としても良い。また、ｎ番目のフレームと（ｎ＋１）番目のフレームから、としても良い。また、ｎ番目のフレームの文字を認識するため、（ｎ＋１）番目、ｎ番目、（ｎ−１）番目のフレームのうち、少なくとも２つのフレームで認識された文字から文字データを抽出するでも良い。
【００２３】
（実施の形態２）
図５は、編集を行う端末装置の例を示すブロック図である。４１は編集機である。４２Ａはメモリである。このメモリには４２Ａ１の編集画像バッファ領域と４２Ａ２の演算用メモリ領域を持つ。４２ＢはＣＰＵ（Ｃｅｎｔｒａｌ  Ｐｒｏｃｅｓｓｉｎｇ  Ｕｎｉｔ：中央演算処理装置）である。４２Ｃ１はＶＴＲやテープストリーマー４３から映像信号を入力するためのインターフェースである。４２Ｃ２はキーボードやマウスと言ったユーザーインターフェース４４からの入力を受け付けるインターフェースである。
【００２４】
収録時に、撮影した画像データの中から画像データとして入力された映像から文字を検出し、文字データとして抽出し、抽出されたメタデータとして画像データに付随させ、メディアに保存する機能を備えたカメラで収録を行う。そして、そのカメラで収録を行いデータが保存されたメディアをテープストレージから画像データとメタデータを読み込む。読み込まれた画像データと画像データに付随しているメタデータは、映像入力インターフェースを通してメモリ内の編集画像バッファ領域に格納される。キーボードやマウスやＯＣＲ（Ｏｐｔｉｃａｌ  Ｃｈａｒａｃｔｅｒ  Ｒｅｃｏｇｎｉｔｉｏｎ）と言った入力手段から入力されたカット割リストがインターフェースを通してメモリの演算用メモリ領域に保存される。演算はＣＰＵで行われ、その演算によってメモリ内の画像データを入れ替えたる編集を行う。
【００２５】
図６はメタデータを用いた自動並び替え編集処理のアルゴリズムのフローチャートである。ＳＴＥＰ１１では収録前にユーザーインターフェースの入力手段を用いてカット割リストの入力を行うステップである。ＳＴＥＰ１２では、画像として収録した映像から文字を検出し、文字データを抽出しメタデータとして画像データに付随させ保存する機能を有するカメラでの収録を行うステップである。ＳＴＥＰ１３では、ＳＴＥＰ１２で収録を行い生成された画像データとメタデータが保存されているメディアから、それらのデータを読み出し、バッファへ保存するステップである。ＳＴＥＰ１４では、収録されバッファに蓄えてある画像データに付随しているメタデータの中のシーンナンバー、カットナンバーが、カット割リストにピックアップされているシーンナンバー、カットナンバーと一致する画像データと付随しているメタデータとをリストに当てはめて並び替えるステップである。なお、ここでは並び替えられたデータの後処理について述べていないが、並び替えられた画像データと画像データに付随するメタデータは、メモリ内に存在するため、この状態で光ディスクやテープストレージ、ハードディスク等への保存もできる。また、メモリ内で別の編集処理へ流用することも可能である。
【００２６】
図７は編集システムの処理の例を示したモデル図である。５１はカメラで収録したままの編集前のデータである。５３はカメラから収録された画像データである。５２は画像データ収録時にカメラから付加されたメタデータである。メタデータ５２と画像データ５３で編集前のデータ５１となる。５４は編集後のデータである。５６はカメラから収録された画像データである。５５は画像データ収録時にカメラから付加されたメタデータである。メタデータ５５と画像データ５６で編集後のデータ５４となる。５７はカット割リストである。
【００２７】
カット割リストには番組等のコンテンツでのシーン、カットの順序が記されている。ここでは、順番に「シーン１カット１、シーン１カット２、シーン１カット３、シーン２カット１、シーン２カット２」と記されている。そして、収録の際にカット割りの順序で収録することは非常に稀である。状況に応じて、収録の効率の良い順序で収録を行う。ここでは「シーン１カット１、シーン１カット４、シーン１カット２、シーン１カット３、シーン２カット１、シーン２カット２」の順で収録が行われたとする。収録時にはカチンコにシーンナンバーとカットナンバーを記入し、収録の際に画像として取り込んでいる。このとき、収録されたデータを格納したテープをテープストリーマーにかけ、データの吸出しを行う。そして、吸い出されたデータはインターフェースを通り、編集機のバッファ領域へ蓄えられる。この際、カット割リストと現在、バッファに蓄えられている画像データに付随しているメタデータを比較し、カット割リストに記してある順序でメタデータを参照しながら画像データを並び替える。図７の矢印は並び替えられたときのそれぞれのカットの移動を示す。また、ここではテープストレージから映像信号を入力したが、光ディスクであっても良い。また、カメラに付いているメモリからの入力でも良い。また、ネットワークを介したデータの入力でも良い。
【００２８】
（実施の形態３）
図８は限定されたカットを検索し、抽出するアルゴリズムを示したフローチャートである。ＳＴＥＰ２１では、収録時に収録した映像から文字を検出し文字データとして抽出し、抽出された文字データをメタデータとして、収録した画像データに付随させて同一テープに保存することのできるカメラで収録を行うステップである。ＳＴＥＰ２２では、メディアから画像データと画像データに付随しているメタデータを読み出し編集機のバッファに蓄えるステップである。ＳＴＥＰ２３は、ユーザーインターフェース等によるキーワード入力手段より入力されたキーワード等の条件を与え、編集機はその条件と一致する文字データを含むメタデータが付随している画像データをピックアップするステップである。ＳＴＥＰ２４は、与えられた条件と一致する文字データを含むメタデータの付随している画像データをメタデータと一緒に抽出するステップである。なお、ここでは収録された画像データと画像データに付随したメタデータを同一テープからの読み出しとしたが、このメディアは光ディスク、ストレージメディア、メモリでも良い。
【００２９】
これは、テイク番号の違う同じカットの入れ替えや、ＯＫシーンとＮＧシーンの入力間違いによるカットの差し替え等に使用できる。
【００３０】
図９は限定されたカットの抽出を行った編集作業のモデル図である。６１は編集前のデータである。６３は収録時に、収録された画像データの映像から文字を検出し、文字データとして抽出を行い、抽出された文字データをメタデータとし、画像データに付随させメディアへ保存する機能を有したカメラで撮影された画像データである。６２は収録時に、収録された画像データの映像から文字を検出し、文字データとして抽出を行い、抽出された文字データをメタデータとし、画像データに付随させメディアへ保存する機能を有したカメラで撮影され、６３の画像データに付随しているメタデータである。６１の編集前のデータは６２の画像データと６３のメタデータから成る。６７は編集作業の事前にカット割りからユーザーインターフェースを通して入力されたカット割リストである。６４は編集後のデータである。６５は画像データに付随しているメタデータである。６６は画像データである。６４の編集後データは６５のメタデータと６６の画像データから成る。
【００３１】
ここでは「カット割リストに記してある順序」と言う条件と「ＯＫシーンである」と言う条件が与えられたとする。カット割リストには番組等のコンテンツでのシーン、カットの順序が記されている。ここでは、順番に「シーン１カット１、シーン１カット２、シーン１カット３、シーン２カット１、シーン２カット２」と記されている。そして、収録の際にカット割りの順序で収録することは非常に稀である。状況に応じて、収録の効率の良い順序で収録を行う。ここでは「シーン１カット１ＮＧ、シーン１カット１ＯＫ、シーン１カット４ＯＫ、シーン１カット２ＯＫ、シーン１カット３ＯＫ、シーン２カット１ＯＫ，シーン２カット１ＮＧ、シーン２カット２ＯＫ」の順で収録が行われたとする。収録時にはカチンコにシーンナンバーとカットナンバーを記入し、収録の際に画像として取り込んでいる。また、ＯＫとＮＧの判別は収録時にボタンにより入力されたデータに基づいている。このとき、収録されたデータを格納したテープをテープストリーマーにかけ、データの吸出しを行う。そして、吸い出されたデータはインターフェースを通り、編集機のバッファ領域へ蓄えられる。この際、カット割リストと現在、バッファに蓄えられている画像データに付随しているメタデータを比較し、カット割リストに記してある順序でメタデータを参照しながら画像データを並び替える。図９の矢印は並び替えられたときのそれぞれのカットの移動を示す。
【００３２】
また、入力される文字データがカチンコによる入力だけではなく、店の看板や道路の案内表示から現在撮影を行っている場所の特定や、現在何についての撮影を行っているのかを示すこともできる。例えば、グルメ番組の様に１回の収録で複数の飲食店の取材を行う場合、収録開始時にその店の看板を撮影することでメタデータには、その店の店名が入力され、編集時には店名からその店に関連した画像データと画像データに付随したメタデータが付随している画像データを抽出することができる。また、看板に店名の他に住所や電話番号が記されていた場合、収録を行った場所を即座に特定できる。
【００３３】
また、ここではグルメ番組を例としたが、報道番組のように、１本のテープの中に複数人数のインタビューが含まれている場合、取材を受ける人の氏名等の必要な情報をメモに書き、収録開始時にそのメモを撮影することでメモに書いた内容をメタデータとすることで、編集の簡易化を行うことができる。また、Ｗｅｂコンテンツのように、地図をクリックしたとき、その地図に対応したお店のムービーが流れるコンテンツおいて、そのお店に関連した画像を検索し編集を容易にすることも可能である。
【００３４】
（実行の形態４）
画像データに付随されたメタデータは編集作業後も保持され続ける。このことから、カット中に出演している俳優や使用されている音楽を限定することができ、肖像権や著作権の管理を行うことが容易である。また、カット割リストで情報を付加することで、後の編集作業を容易にすることができる。カット割リストにそのカット内での出演俳優が記されているとする。この場合、そのカットでどの俳優が出ているのか、また、このカットを別のコンテンツで使う場合、どこに問い合わせを行い肖像権の使用の許可を得れば良いのかを容易に調べることができる。また、そのカット内で使用されている楽曲についての情報も編集作業後に楽曲に関する情報を画像データに付随しているメタデータに付け加えることにより、後のカットの再利用の際等に必要となる。
【００３５】
映画のコマーシャル等でダイジェストの作成において、映画の製作者がストーリーに直結する等の理由で意図的に事前に見せたくないシーンやカットにその意図を示す情報を持たせることにより、編集されたコンテンツから製作者が意図して見せても良いカットのデータを持つメタデータの付随された画像データのみ抽出し繋ぎ合わせることでダイジェスト作成を容易に行うことができる。また、映画の製作者が事前に、意図的に見せたい部分の情報を持たせることにより、意図的に見せたい部分の映像のみ検出することで、製作者が意図的に見せたい部分のみ抽出して繋ぎ合わせることでダイジェストを作成することが可能となる。
【００３６】
また、スポーツ番組でのダイジェスト生成について、スコアボードを映像として収録し、その画像から文字を認識することにより、試合展開や指定の場面の抽出を行うこともできる。例えば、野球の試合をメタデータによりダイジェストを作る場合、スコアボードの情報からイニングを特定でき、また、カウントボードの情報からボールカウントを特定することができるため、得点の入ったイニングの映像のみの抽出や、スピードガン表示から投手が最高速の球速を記録したときの映像を抽出することができる。また、ここでは番組作成を例に挙げているが、スコアの情報からそのときの状況の映像が抽出できるため、スコアラーや選手を指導するためのビデオの作成にも活用しても良い。
【００３７】
また、テレビ番組を例に挙げているが、映画やインターネット上での動画コンテンツ、携帯端末向けのコンテンツ作成にも使うことができる。
【００３８】
【発明の効果】
以上の発明により、収録時に収録した画像データから自動的にメタデータを生成することにより、そのメタデータを用いた編集を容易に行うことができるようになる。したがって、即時性の求められるコンテンツの編集を高速に行う場合や、ドラマのようなシナリオが存在し、カットを順番に並び替えるなど、従来の編集方法では非常に時間とコストを要する編集作業の時間、コストの削減を行うことができる。また、撮影現場での収録作業では、従来の撮影方法と同じなので現場での作業負担は小さい。また、メタデータを画像データから取得するため、定型では無い文字データからでも情報を取得することができ、多種にわたる情報をメタデータに持たせることが可能となり、そのメタデータから映像の抽出、編集を簡単に行え、コンテンツ作成の幅を広げることができる。
【図面の簡単な説明】
【図１】本発明のカメラからストレージ上に画像データとメタデータを作成するシステムのモデル図
【図２】本発明の収録映像からメタデータを生成するアルゴリズムのフローチャート
【図３】本発明のインタレース画像からの文字データ生成のモデル図
【図４】本発明の動画像における文字データ生成のモデル図
【図５】本発明の編集を行う端末装置の例を示すブロック図
【図６】本発明のメタデータを用いた自動並び替え編集処理のアルゴリズムのフローチャート
【図７】本発明の編集システムの処理の例を示したモデル図
【図８】本発明の限定されたカットを検索し、抽出するアルゴリズムを示したフローチャート
【図９】本発明の限定されたカットの抽出を行った編集作業のモデル図
【符号の説明】
１１  カチンコ
１２  カメラ
１３Ａ  文字情報
１３Ｂ  画像情報
１４  ストレージメディア
１５Ａ  メタデータ
１５Ｂ  画像データ
１６  編集時に必要な文字情報
１７  カチンコに書かれたシーンナンバー、カットナンバー、テイクナンバー、その他の文字情報
ＳＴＥＰ１１  映像の収録を行うステップ
ＳＴＥＰ１２  収録した映像信号の画像データから文字を検出するステップ
ＳＴＥＰ１３  検出された文字を文字データとして認識するステップ
ＳＴＥＰ１４  認識された文字データをメタデータとして画像データに付随させメディアへ保存を行うステップ
２１  インタレース画像
２２Ａ  第１フィールド画像
２２Ｂ  第２フィールド画像
３１Ａ  （ｎ−１）番目のフレームの画像データ
３１Ｂ  ｎ番目のフレームの画像データ
３１Ｃ  （ｎ＋１）番目のフレームの画像データ
３２Ａ  （ｎ−１）番目とｎ番目のフレームのフレーム間の相関関係
３２Ｂ  ｎ番目と（ｎ＋１）番目のフレームのフレーム間の相関関係
４１  編集機
４２Ａ  メモリ
４２Ａ１  編集画像バッファ領域
４２Ａ２  演算用メモリ領域
４２Ｂ  ＣＰＵ
４２Ｃ１  映像信号発生装置とのインターフェース
４２Ｃ２  ユーザーインターフェースとのインターフェース
４３  映像信号発生装置
４４  ユーザーインターフェース
ＳＴＥＰ２１  カット割リストを入力するステップ
ＳＴＥＰ２２  収録した画像データから文字を検出し文字データを抽出し、その文字データをメタデータとして画像データに付随させ同一メディアへ保存する機能を有しているカメラでの収録を行うステップ
ＳＴＥＰ２３  収録を行ったメディアから画像データとその画像データに付随しているメタデータの取り込みを行うステップ
ＳＴＥＰ２４  画像データに付随しているメタデータから入力されたカット割リストに記されている順序で映像の並び替えを行うステップ
５１  編集前のデータ
５２  メタデータ
５３  画像データ
５４  編集後のデータ
５５  メタデータ
５６  画像データ
５７  カット割リスト
ＳＴＥＰ３１  収録した画像データから文字を検出し文字データを抽出し、その文字データをメタデータとして画像データに付随させ同一メディアへ保存する機能を有しているカメラでの収録を行うステップ
ＳＴＥＰ３２  収録を行ったメディアから画像データとその画像データに付随しているメタデータの取り込みを行うステップ
ＳＴＥＰ３３  画像データに付随しているメタデータから、与えられた条件と一致するメタデータの検索を行うステップ
ＳＴＥＰ３４  ＳＴＥＰ２４で検出されたメタデータが付随している画像データの抽出を行うステップ
６１  編集前のデータ
６２  メタデータ
６３  画像データ
６４  編集後のデータ
６５  メタデータ
６６  画像データ
６７  カット割りスト
【図１】
2005039354.tif 000003
【図２】
2005039354.tif 000004
【図３】
2005039354.tif 000005
【図４】
2005039354.tif 000006
【図５】
2005039354.tif 000007
【図６】
2005039354.tif 000008
【図７】
2005039354.tif 000009
【図８】
2005039354.tif 000010
【図９】
2005039354.tif 000011